(57)【要約】      （修正有）【課題】直流電源回路の過電圧過電流出力を検出し、直流電源回路が過電圧及び過電流出力により損壊するのを防止する過電圧及び過電流検出回路を提供する。【解決手段】過電圧及び過電流検出回路は、出力ピンを具える直流電源回路に接続され、比較器、電圧安定化ユニット、第１抵抗、第２抵抗、第３抵抗、第４抵抗を包含する。比較器はプラス入力ピンとマイナス入力ピンを具え、第４抵抗の一端が出力ピンと第２抵抗の一端に接続され、第２抵抗の別端が該マイナス入力ピンと第３抵抗の一端に接続され、第４抵抗の別端は、第１抵抗の一端に接続され、第１抵抗の別端は該プラス入力ピンと電圧安定化ユニットの一端に接続される。【選択図】図１
0003160833.tif 000002
【実用新案登録請求の範囲】
【請求項１】
過電圧及び過電流検出回路において、該過電圧及び過電流検出回路は直流電源回路に接続され、該直流電源回路は出力ピンを具え、該過電圧及び過電流検出回路は、
比較器であって、プラス入力ピンとマイナス入力ピンを具えた、上記比較器と、
電圧安定化ユニットと、
第１抵抗、第２抵抗、第３抵抗、及び第４抵抗と、
を包含し、そのうち、該第４抵抗の一端が該出力ピンと該第２抵抗の一端に接続され、該第２抵抗の別端が該マイナス入力ピンと該第３抵抗の一端に接続され、該第４抵抗の別端が該第１抵抗の一端に接続され、該第１抵抗の別端が該プラス入力ピンと該電圧安定化ユニットの一端に接続されたことを特徴とする、過電圧及び過電流検出回路。
【請求項２】
請求項１記載の過電圧及び過電流検出回路において、該第１抵抗は電流制限用の抵抗とされ、該第２抵抗と該第３抵抗は分圧抵抗とされ、該第４抵抗は電流検出抵抗とされることを特徴とする、過電圧及び過電流検出回路。
【請求項３】
請求項２記載の過電圧及び過電流検出回路において、該比較器は出力ピンを具え、該直流電源回路は該比較器の該出力ピンに接続された駆動ピンを具えたことを特徴とする、過電圧及び過電流検出回路。
【請求項４】
請求項１記載の過電圧及び過電流検出回路において、該電圧安定化ユニットは電圧安定化回路とされることを特徴とする、過電圧及び過電流検出回路。
【請求項５】
請求項１記載の過電圧及び過電流検出回路において、該電圧安定化ユニットはツェナダイオードとされることを特徴とする、過電圧及び過電流検出回路。
【請求項６】
請求項１記載の過電圧及び過電流検出回路において、該直流電源回路は昇圧回路とされることを特徴とする、過電圧及び過電流検出回路。
【請求項７】
請求項１記載の過電圧及び過電流検出回路において、該直流電源回路は降圧回路とされることを特徴とする、過電圧及び過電流検出回路。
【考案の詳細な説明】
【技術分野】
【０００１】
本考案は一種の検出回路に係り、特に、過電圧及び過電流検出回路に関する。
【背景技術】
【０００２】
各種の電子設備の回路設計中、要求が比較的高い場合には、負荷を通過する電流に対して精密な検出を行って、電流過大による回路あるいは部品の損壊を防止する目的を達成する必要があり、一般の回路設計は通常、負荷を通過する回路の検出に対して完全ではない。
【０００３】
ただし、現在、周知の過電圧及び過電流検出回路は過負荷の状況では、電流過大を阻止することができず、このために回路部品が損壊しやすい。
【考案の概要】
【考案が解決しようとする課題】
【０００４】
本考案の主要な目的は、上述の周知の技術に存在する欠点に対して、過電圧と過電流を有効に防止できる過電圧及び過電流検出回路を提供することにある。
【課題を解決するための手段】
【０００５】
上述の目的を実現するため、本考案の提供する過電圧及び過電流検出回路は、直流電源回路に接続され、直流電源回路は出力ピンを具え、過電圧及び過電流検出回路は、比較器、電圧安定化ユニット、第１抵抗、第２抵抗、第３抵抗、第４抵抗を包含し、該比較器はプラス入力ピンとマイナス入力ピンを具え、該第４抵抗の一端が該出力ピンと該第２抵抗の一端に接続され、該第２抵抗の別端が該マイナス入力ピンと該第３抵抗の一端に接続され、該第４抵抗の別端は、該第１抵抗の一端に接続され、該第１抵抗の別端は該プラス入力ピンと該電圧安定化ユニットの一端に接続される。
【考案の効果】
【０００６】
総合すると、本考案の過電圧及び過電流検出回路は電圧安定化ユニットと比較器の組合せにより、直流電源回路の過電圧過電流出力を検出し、これにより直流電源回路が過電圧及び過電流出力により損壊するのを防止する。
【図面の簡単な説明】
【０００７】
【図１】本考案の過電圧及び過電流検出回路と直流電源回路の接続の表示図である。
【考案を実施するための形態】
【０００８】
詳細に本考案の技術内容、構造特徴、その達成する目的と作用効果を説明するため、以下に実施例に図面を組み合わせて説明する。
【０００９】
図１を参照されたい。本考案の過電圧及び過電流検出回路１は、直流電源回路９に接続され、該直流電源回路９は、出力ピン９１と駆動ピン９２を具えている。該出力ピン９１は直流電圧と直流電流を出力できる。直流電源回路９は駆動ピン９２の入力信号によりオン或いはオフされる。具体的に実施する時は、直流電源回路９は昇圧回路或いは降圧回路とされ得る。
【００１０】
本考案の過電圧及び過電流検出回路１は、比較器１０、電圧安定化ユニット２０、第１抵抗Ｒ１、第２抵抗Ｒ２、第３抵抗Ｒ３、第４抵抗Ｒ４を包含する。該第１抵抗Ｒ１は電流制限用抵抗であり、第２抵抗Ｒ２と第３抵抗Ｒ３は分圧用抵抗であり、第４抵抗Ｒ４は電流検出用抵抗である。
【００１１】
上述の直流電源回路９の出力ピン９１は第４抵抗Ｒ４の一端と第２抵抗Ｒ２の一端に接続され、並びに検出ノードＣＳを規定し、第４抵抗Ｒ４の別端は第１抵抗Ｒ１の一端に接続され、並びに出力ノードＶＯを規定する。出力ノードＶＯは外部負荷（図示せず）に接続される。本実施例では、検出ノードＣＳはアップストリームノードであり、出力ノードＶＯはダウンストリームノードである。
【００１２】
第１抵抗Ｒ１の別端は比較器１０のプラス入力ピンａと電圧安定化ユニット２０の一端に接続され、電圧安定化ユニット２０の別端は接地する。本実施例中、電圧安定化ユニット２０はツェナダイオードとされ、具体的に実施される時は、電圧安定化ユニット２０は電圧安定化回路とされ得る。第２抵抗Ｒ２の別端は比較器１０のマイナス入力ピンｂと第３抵抗Ｒ３の一端に接続され、第３抵抗Ｒ３の別端は接地する。比較器１０の出力ピンｃは直流電源回路９の駆動ピン９２に接続される。
【００１３】
本考案の過電圧及び過電流検出回路１の動作方式について以下に説明する。本実施例中、第２抵抗Ｒ２は１オームとされ、第３抵抗Ｒ３は７オームとされ、第４抵抗Ｒ４は０．５オームとされ、ツェナダイオードのブレークダウン電圧は５．６ボルトとされる。直流電源回路９が正常に動作する時、出力ノードＶＯは５ボルト電圧を出力でき、出力ピン９１は１アンペア電流を出力できる。
【００１４】
検出ノードＣＳの電圧は、出力ノードＶＯの電圧と第４抵抗Ｒ４の電圧の和である。本実施例中、出力ノードＶＯは５ボルトとされ、第４抵抗Ｒ４は０．５オームとされ、第４抵抗Ｒ４を通過する電流は１アンペアとされ、ゆえに検出ノードＣＳの電圧は５．５ボルトである。
【００１５】
比較器１０のマイナス入力ピンｂの電圧は検出ノードＣＳの電圧が第２抵抗Ｒ２と第３抵抗Ｒ３により分圧された後の電圧である。本実施例では、第２抵抗Ｒ２は１オーム、第３抵抗Ｒ３は７オーム、検出ノードＣＳの電圧は５．５ボルト、ゆえに比較器１０のマイナス入力ピンｂの電圧は４．８１２５ボルトとなる。
【００１６】
出力ノードＶＯの電圧はツェナダイオードのブレークダウン電圧より小さく、且つ第１抵抗Ｒ１は限流抵抗とされて、その抵抗値は非常に小さく、第１抵抗Ｒ１の電圧降下は無視できる。ゆえに、比較器１０のプラス入力ピンａの電圧は、出力ノードＶＯの電圧と等しく、５ボルトとされる。比較器１０のプラス入力ピンａの電圧はマイナス入力ピンｂの電圧よりも大きいため、比較器１０の出力ピンｃが第１信号を出力し、この第１信号が直流電源回路９の駆動ピン９２に伝送され、直流電源回路９を制御して持続動作（オン）させる。
【００１７】
直流電源回路９が過電流を出力する時、出力ノードＶＯの電圧は５ボルトであり、本実施例では、出力ピン９１が１．６アンペアの電流を出力するとき、過電流とされ、以上の説明に基づき、検出ノードＣＳの電圧は５．８ボルトであり、比較器１０のプラス入力ピンａの電圧は５ボルトであり、比較器１０のマイナス入力ピンｂの電圧は、５．０７５ボルトである。比較器１０のプラス入力ピンａの電圧はマイナス入力ピンｂの電圧より小さいため、比較器１０の出力ピンｃは第２信号を出力し、該第２信号が直流電源回路９の駆動ピン９２に送られて、直流電源回路９を制御して停止させる（オフする）。これにより、直流電源回路９が続けて過大な電流を出力するのを防止する。
【００１８】
直流電源回路９が過電圧を出力する時、出力ピン９１は１アンペア電流を出力し、本実施例中、出力ノードＶＯが６ボルト電圧を出力する時が過電圧であり、以上の説明に基づき、検出ノードＣＳの電圧が６．５ボルトとされ、出力ノードＶＯの電圧はツェナダイオードのブレークダウン電圧より大きいため、比較器１０のプラス入力ピンａの電圧はツェナダイオードのブレークダウン電圧にロックされ、本実施例ではそれは５．６ボルトであり、比較器１０のマイナス入力ピンｂの電圧は５．６８７５ボルトである。
【００１９】
比較器１０のプラス入力ピンａの電圧はマイナス入力ピンｂの電圧より小さいため、比較器１０の出力ピンｃは該第２信号を出力し、直流電源回路９を制御してその動作を停止させる（オフする）。これにより、直流電源回路９が過大な電圧を続けて出力するのを防止する。
【００２０】
総合すると、本考案の過電圧及び過電流検出回路１は電圧安定化ユニット２０と比較器１０の組合せにより、直流電源回路９の過電圧過電流出力を検出し、これにより直流電源回路９のオンとオフを制御し、直流電源回路９と外部負荷が過電圧及び過電流の出力或いは過電圧及び過電流を受けて損壊するのを防止する。
【符号の説明】
【００２１】
１  過電圧及び過電流検出回路
１０  比較器                ａ  プラス入力ピン
ｂ  マイナス入力ピン        ｃ  出力ピン
２０  電圧安定化ユニット    Ｒ１  第１抵抗
Ｒ２  第２抵抗              Ｒ３  第３抵抗
Ｒ４  第４抵抗              ＣＳ  検出ノード
ＶＯ  出力ノード            ９  直流電源回路
９１  出力ピン              ９２  駆動ピン
【図１】
0003160833.tif 000003